(57)【要約】【課題】  従来の遊技機の球戻り防止装置における問題を解消し、戻り球を遊技領域の入賞の可能性の高い方向へ再び導くことが可能な球戻り防止装置を備えた遊技機の提供を課題とする。【解決手段】  発射装置により発射された遊技球Ｑを誘導領域１３の飛び出し口１４から遊技領域２に飛び出させて遊技領域２での遊技に供すると共に、前記遊技領域２に一旦飛び出した遊技球Ｑが前記誘導領域１３に逆戻りするのを防止するための戻り球制止片１１０を備えた球戻り防止装置１００を前記飛び出し口１４付近に備えた遊技機であって、前記球戻り防止装置１００の戻り球制止片１１０に対して該戻り球制止片１１０自体が有する反発力に更に反発力を付加する反発力付加バネ手段を設けた。【選択図】      図１
2006136392.tif 000002
【特許請求の範囲】
【請求項１】
発射装置により発射された遊技球を誘導領域の飛び出し口から遊技領域に飛び出させて遊技領域での遊技に供すると共に、前記遊技領域に一旦飛び出した遊技球が前記誘導領域に逆戻りするのを防止するための戻り球制止片を備えた球戻り防止装置を前記飛び出し口付近に備えた遊技機であって、前記球戻り防止装置の戻り球制止片に対して該戻り球制止片自体が有する反発力に更に反発力を付加する反発力付加バネ手段を設けたことを特徴とする球戻り防止装置を備えた遊技機。
【請求項２】
反発力付加バネ手段は、戻り球制止片が逆戻りしてきた遊技球を受けて後退することで変形され且つその復元力で戻り球制止片を進出させることで戻り球制止片に反発力を付加するバネ部材であることを特徴とする請求項１に記載の球戻り防止装置を備えた遊技機。
【請求項３】
戻り球制止片は、遊技球が誘導領域の飛び出し口から遊技領域に飛び出す際に当たる内片部と、遊技領域から飛び出し口へ逆戻りしてきた遊技球を受ける外片部とを有し、外片部は逆戻りしてきた遊技球を遊技領域の中央方向へ弾き返すのに適した角度に角度配置し、且つ反発力付加バネ手段は戻り球制止片の外片部に対して設けてあることを特徴とする請求項１に記載の球戻り防止装置を備えた遊技機。
【請求項４】
反発力付加バネ手段は、戻り球制止片の外片部と内片部との間に配置されると共に、外片部が逆戻りしてきた遊技球を受けて後退することで変形され且つその復元力で戻り球制止片を進出させることで戻り球制止片に反発力を付加するバネ部材であることを特徴とする請求項３に記載の球戻り防止装置を備えた遊技機。
【発明の詳細な説明】
【技術分野】
【０００１】
本発明は遊技領域に一旦飛び出した遊技球が飛び出し口から誘導領域に逆戻りするのを防止する球戻り防止装置を備えた遊技機に関する。
【背景技術】
【０００２】
従来、誘導領域を介して遊技領域へ打ち込まれた遊技球が誘導領域へ逆行する、いわゆる球戻りを防止する球戻り防止装置を備えた遊技機が提供されている。球戻り防止装置は、誘導領域から飛び出し口を経て遊技領域へ飛び出す遊技球に対しては極力その方向や力を変えないようにスムーズに打ち出すことができ、逆に遊技領域から飛び出し口を経て誘導領域に逆行しようとする遊技球に対してはこれを制止して防止する構成となされている。
従来の球戻り防止装置としては、例えば実開平６−４８７６２号公報には重錘部を含む保持基体と金属舌片で構成されたもの、特開２００３−３３９９９６号公報には誘導領域を形成する内レールに直接金属製の弾性帯板を取り付けたものが公開されている。
また特開２０００−２２５２３６号公報（段落００１３、００１４）には、阻止部材１０の一部を曲面とすることで、阻止部材１０で弾かれた遊技球が遊技盤面５の中央側へ向かい易いようにしたものがある。
【特許文献１】実開平６−４８７６２号公報
【特許文献２】特開２００３−３３９９９６号公報
【特許文献３】特開２０００−２２５２３６号公報
【発明の開示】
【発明が解決しようとする課題】
【０００３】
しかし上記特許文献１、２の装置では、逆行してきた遊技球は打ち出されたときよりかなり勢いが弱まっているため、球戻り防止装置により逆行を制止された遊技球は、殆どその場から真下方向の入賞の可能性の比較的低い領域に向けて流下せざるを得ないものであった。よって遊技者は戻り球となった遊技球に対しては入賞への期待を捨てざるを得ないため、興趣の低下を招くという問題があった。
また上記文献３の装置においては、阻止部材１０の阻止部１１と錘部１２とが一体形成されているので、通常時に阻止部材１０に抗して打ち出される遊技球に大きなストレスがかかってしまう問題がある。また文献３のような阻止部材１０では、実際において、丁度良い方向に遊技球を弾き返すことができる曲面範囲が十分にあるとは言えなかった。
【０００４】
そこで本発明は上記従来の遊技機の球戻り防止装置における問題を解消し、戻り球を遊技領域の入賞の可能性の高い方向へ再び導くことが可能な球戻り防止装置を備えた遊技機の提供を課題とする。
【課題を解決するための手段】
【０００５】
上記課題を達成するため、本発明の球戻り防止装置を備えた遊技機は、発射装置により発射された遊技球を誘導領域の飛び出し口から遊技領域に飛び出させて遊技領域での遊技に供すると共に、前記遊技領域に一旦飛び出した遊技球が前記誘導領域に逆戻りするのを防止するための戻り球制止片を備えた球戻り防止装置を前記飛び出し口付近に備えた遊技機であって、前記球戻り防止装置の戻り球制止片に対して該戻り球制止片自体が有する反発力に更に反発力を付加する反発力付加バネ手段を設けたことを第１の特徴としている。
また本発明の球戻り防止装置を備えた遊技機は、上記第１の特徴に加えて、反発力付加バネ手段は、戻り球制止片が逆戻りしてきた遊技球を受けて後退することで変形され且つその復元力で戻り球制止片を進出させることで戻り球制止片に反発力を付加するバネ部材であることを第２の特徴としている。
また本発明の球戻り防止装置を備えた遊技機は、上記第１の特徴に加えて、戻り球制止片は、遊技球が誘導領域の飛び出し口から遊技領域に飛び出す際に当たる内片部と、遊技領域から飛び出し口へ逆戻りしてきた遊技球を受ける外片部とを有し、外片部は逆戻りしてきた遊技球を遊技領域の中央方向へ弾き返すのに適した角度に角度配置し、且つ反発力付加バネ手段は戻り球制止片の外片部に対して設けてあることを第３の特徴としている。
また本発明の球戻り防止装置を備えた遊技機は、上記第３の特徴に加えて、反発力付加バネ手段は、戻り球制止片の外片部と内片部との間に配置されると共に、外片部が逆戻りしてきた遊技球を受けて後退することで変形され且つその復元力で戻り球制止片を進出させることで戻り球制止片に反発力を付加するバネ部材であることを第４の特徴としている。
【発明の効果】
【０００６】
請求項１に記載の球戻り防止装置を備えた遊技機によれば、誘導領域の飛び出し口から一旦遊技領域に飛び出した遊技球が再び飛び出し口へ逆戻りしてくると、球戻り防止装置の戻り球制止片が遊技球を制止すると共に、戻り球制止片自らが有する反発力に反発力付加バネ手段による反発力が加えられた形で、遊技球を弾き返す。
よって請求項１に記載の球戻り防止装置を備えた遊技機によれば、遊技領域から飛び出し口に逆戻りしてくる遊技球を、反発力付加バネ手段を設けた戻り球制止片によって、再び遊技領域方向へ大きく弾き返すことができ、遊技領域の入賞の可能性の高い領域へ再び導くことができる。
【０００７】
また請求項２に記載の球戻り防止装置を備えた遊技機によれば、上記請求項１に記載の構成による効果に加えて、反発力付加バネ手段であるバネ部材は、戻り球制止片が逆行してきた遊技球を受けて後退することで変形し、復元力を生じる。そしてこの復元力によってバネ部材が元の状態に復帰することで、前記後退された戻り球制止片を進出させ、戻り球制止片自体が有する反発力と相俟って、遊技球を再び遊技領域方向へ大きく弾き返すことができ、遊技領域の入賞の可能性の高い領域へ再び導くことができる。
【０００８】
また請求項３に記載の球戻り防止装置を備えた遊技機によれば、上記請求項１に記載の構成による効果に加えて、球戻り球制止片は内片部と外片部とを有することで、内片部は遊技球が飛び出し口から遊技領域に飛び出す際に、できるだけその飛び出し方向や飛び出し力を変えないような構成とすることが可能になる。そして外片部は、逆戻りしてきた遊技球を遊技領域の中央方向へ弾き返すのに適した角度になるように角度配置することで、逆行してきた遊技球の弾き返し角度をより確実に遊技方向に向けることができる。しかも反発力付加バネ手段を外片部に対して設けてあるので、戻り球制止片自らが有する反発力に反発力付加バネ手段による反発力が加えられた形で、遊技球を弾き返すことができる。
よって請求項３に記載の球戻り防止装置を備えた遊技機によれば、上記請求項１に記載の構成による効果に加えて、遊技領域から飛び出し口に逆戻りしてくる遊技球を、遊技領域の中央方向へ弾き返すのに適した角度で、且つ付加された十分な反発力をもって、再び遊技領域方向へ大きく弾き返すことができ、遊技領域の入賞の可能性の高い領域へ再び導くことができる。
【０００９】
また請求項４に記載の球戻り防止装置を備えた遊技機によれば、上記請求項３に記載の構成による効果に加えて、反発力付加バネ手段であるバネ部材は、戻り球制止片の外片部と内片部との間に配置されることで嵩張ることがなく、しかも外片部が逆行してきた遊技球を受けて後退することで変形し、復元力を生じる。そしてこの復元力によってバネ部材が元の状態に復帰することで、前記後退された外片部を進出させ、外片部自体が有する反発力と相俟って、遊技球を再び遊技領域方向へ大きく弾き返すことができ、遊技領域の入賞の可能性の高い領域へ再び導くことができる。
【発明を実施するための最良の形態】
【００１０】
以下の図面を参照して、本発明の第１の実施形態を説明する。
図１〜図９は本発明の第１の実施形態の遊技機に係り、図１はパチンコ遊技機の遊技盤の正面図、図２はパチンコ遊技機の球戻り防止装置の側面図、図３はパチンコ遊技機の球戻り防止装置の正面図、図４は球戻り防止装置の分解斜視図である。図５は球戻り防止装置の斜視図、図６は球戻り防止装置の斜視図、図７〜図９は遊技盤の球戻り防止装置付近の拡大図で、図７は遊技球が逆戻り途上にある状態を示し、図８は逆戻りしてきた遊技球を戻り球制止片が制止した状態を示し、図９は逆戻りしてきた遊技球を戻り球制止片が弾き返した状態を示す。
【００１１】
先ず図１を参照して、パチンコ遊技機の遊技盤１の中央には、遊技領域２が外レール３と内レール４を壁として外から区切られて略円形状の領域に構成されている。遊技領域２の中央付近には図柄等を変動表示することができるセンターケース５が設けられ、その下方には前記図柄等の変動を開始させる契機を与える始動入賞装置６が設けられている。また遊技領域２には、遊技球が通過するゲート７、普通入賞装置８、大入賞装置９、アウト口１０、風車１１、一部だけ図示した釘１２等の遊技要素が設けられている。
図示しない発射装置により発射された遊技球Ｑは、外レール３と内レール４との間に構成された誘導領域１３を通って、飛び出し口１４から遊技領域２に飛び出し、遊技に供される。球技球Ｑは遊技領域２内をその上部から下方へと遊技盤１面上を流下し、始動入賞装置６や普通入賞装置８、大入賞装置９に入賞し、入賞を逃した遊技球はアウト口１０に入る。入賞装置６、８、９に入賞すると、遊技球の払い出し等の報償を受けることができる。
前記遊技盤１の左右両肩部には遊技領域２の外側に枠ランプ１５が設けられている。
【００１２】
遊技領域２の左斜め上部の前記飛び出し口１４付近に、本発明に係る球戻り防止装置１００を配置している。
図２〜６も参照して、球戻り防止装置１００は、戻り球制止片１１０と、揺動基体１２０と、反発力付加バネ手段を構成するバネ部材１３０とを有する。
【００１３】
前記戻り球制止片１１０は、飛び出し口１４に配される部材で、金属製等の弾性帯板片で形成され、基端側を前記揺動基体１２０によって片持ち固定され、上端側はフリーとなっている。戻り球制止片１１０は飛び出し口１４に配された際に、飛び出し口１４に対して適切な位置を確保できるように、途中で適当に曲げ調整することができる。
戻り球制止片１１０の先端部は、飛び出し口１４の位置に対応する外レール３に対して少しの間隙をもって配置されている。この間隙は遊技球Ｑの直径よりも小寸法として、飛び出し口１４に逆戻りしてくる遊技球Ｑが誘導領域１３内に入るのを阻止できるようになされている。
【００１４】
前記揺動基体１２０は合成樹脂等で形成されると共に、前記戻り球制止片１１０の取り付け姿勢を定めるガイド溝１２１ａと軸孔１２１ｂとを形成した軸受部１２１と、前記戻り球制止片１１０を通常時において起立姿勢に維持するための錘部１２２とを有する。そして前記軸受部１２１の軸孔１２１ｂに軸釘１２３が差し込まれて遊技盤１に固定されることで、該軸釘１２３を中心に揺動基体１２０が揺動可能に保持される。
前記軸受部１２１のガイド溝１２１ａの底平面の中央付近には、バネ部材１３０を取り付けるための取付用挿入孔１２１ｃが設けられている。
前記錘部１２２には、戻り球制止片１１０の基端部１１０ａを嵌入して取り付け固定するための取付部１２２ａが形成されている。
【００１５】
前記反発力付加バネ手段を構成するバネ部材１３０はコイル状とし、基端部を前記軸受け部１２１の取付用挿入孔１２１ｃに挿入して固定する。固定されたバネ部材１３０の前面は戻り球制止片１１０の背面（逆戻りしてくる遊技球Ｑが当る面とは反対の面）に当接する。即ち、バネ部材１３０は戻り球制止片１１０と揺動基体１２０のガイド溝１２１ａの底平面との間に介在され、通常時はこの状態において前記戻り球制止片１１０を動かすことは無い。一方、逆戻りしてきた遊技球Ｑが戻り球制止片１１０に当って、該戻り球制止片１１０を後退させる際には、前記バネ部材１３０を圧縮させる。
前記バネ部材１３０は必ずしもコイル状のバネである必要はない。戻り球制止片１１０とガイド溝１２１ａの底平面との間に介在して、バネ特性を発揮するものであれば、他の種類のバネ部材であってもよい。
【００１６】
上記した第１の実施形態の構成による作用を説明する。
図示しない発射装置から発射された遊技球Ｑは、誘導領域１３を通って飛び出し口１４から、弾性帯板で形成される戻り球制止片１１０を僅かに変形乃至動かしながら遊技領域２に飛び出す。
図７は遊技球Ｑが未だ逆戻り途上にある状態、即ち球戻り防止装置１００が遊技球Ｑの作用を何ら受けていない状態を示す。この状態では、揺動基体１２０の錘部１２２の作用により、戻り球制止片１１０が前記外レール３から少し離間した状態で、飛び出し口１４をほぼ閉止している。
遊技領域２に一旦飛び出した遊技球Ｑが、釘１２等に当たる結果、再び飛び出し口１４に逆行すると、遊技球Ｑが戻り球制止片１１０に当たってこれを後退方向（図面上で反時計方向）に回動させ、図８に示すような状態となる。このとき、戻り球制止片１１０がバネ部材１３０を圧縮変形させる。これによりバネ部材１３０に復元力に基づく反発力が発生する。また戻り球制止片１１０自体も遊技球Ｑに押されて適当に湾曲する結果、反発力を生じる。
従って遊技球Ｑが戻り球制止片１１０に当たって後、極僅かな時間を経た時点において、前記バネ部材１３０の反発力による戻り球制止片１１０の反動と戻り球制止片１１０自体の反発力とが相乗して、該戻り球制止片１１０が進出方向（図面上での時計方向）に回動することにより、遊技球Ｑを瞬発的に弾き返す（図９）。これによって遊技球Ｑは遊技領域２の中央方向へ再び復帰される。
【００１７】
第１の実施形態の球戻り防止装置１００を設けることによって、従来は入賞の期待が持てなかった戻り球に対して入賞の期待を遊技者に与えることができ、興趣の向上に資する。
更に詳述すると、従来の装置では、球の逆流を阻止された遊技球Ｑは球戻り防止装置１００の直下から図１のＤ領域へしか実質的に流下しなかった。しかもこのＤ領域に至る軌道においては、遊技球Ｑが重要な入賞口である始動入賞装置６へ入賞する可能性は極めて低い状態であった。
これに対して、第１の実施形態の球戻り防止装置１００では、飛び出し口１４への逆行を阻止された遊技球Ｑは、バネ部材１３０を反発力付加バネ手段として備えた戻り球制止片１１０により、十分に弾き返されることにより、弾き返された遊技球Ｑの軌道は図１のＡ領域或いはＢ領域からＣ領域へ流下する軌道となる。このため始動入賞装置６へ入賞する可能性が高くなり、そのような戻り球であっても遊技者に引き続き好ましい入賞の期待を抱かせることができるのである。
【００１８】
本発明の第２の実施形態を図１０、図１１を参照して説明する。
図１０は第２の実施形態に係るパチンコ遊技機の球戻り防止装置の斜視図、図１１は球戻り防止装置の分解斜視図である。
なお第２の実施形態のパチンコ遊技機において、第１の実施形態のパチンコ遊技機における部材、要素と同一の機能を果たす部材、要素については、同一の符号を付して説明を省略する。
第２の実施形態においては、第１の実施形態の場合と同様に、球戻り防止装置２００が遊技領域２の左斜め上部の飛び出し口１４付近に配置される。
前記球戻り防止装置２００は、戻り球制止片２１０、揺動基体２２０、反発力付加バネ手段であるバネ部材２３０を有している。
【００１９】
前記戻り球制止片２１０は、内片部２１１と外片部２１２とを有する。
内片部２１１は、遊技球Ｑが誘導領域１３の飛び出し口１４から遊技領域２に飛び出す際に当たる片である。また外片部２１２は、遊技領域２から飛び出し口１４へ逆戻りしてきた遊技球Ｑを受ける片である。
前記内片部２１１と外片部２１２とは、例えば２枚の金属片とし、それらの先端部で相互に一体化して戻り球制止片２１０とすることができる。この場合において、内片部２１１と外片部２１２とを異なる材質としてもよい。またこの場合には、少なくとも外片部２１２は反発効率の良い材料で構成するのが望ましい。勿論、戻り球制止片２１０は１枚の金属板を折り曲げて形成することも可能である。
内片部２１１に対してその先端部で一体化する外片部２１２は、内片部２１１に対して適当な開き角度θをもって構成される。これによって外片部２１２は、逆戻りしてきた遊技球Ｑを遊技領域２の中央方向へ弾き返すのに適した角度に角度配置させる。
【００２０】
前記揺動基体２２０は、第１の実施形態のパチンコ機における揺動基体１２０とほぼ同じである。即ち、合成樹脂で形成することができ、戻り球制止片２１０の取り付け姿勢を定めるガイド溝２２１ａと軸孔２２１ｂとを形成した軸受部２２１と、前記戻り球制止片２１０を通常時において略起立姿勢に維持するための錘部２２２とを有する。そして前記軸受部２２１の軸孔２２１ｂに軸釘２２３が差し込まれて遊技盤１に固定されることで、該軸釘２２３を中心に揺動基体２２０が揺動可能に保持される。
前記錘部２２２には、戻り球制止片２１０の基端部２１０ａ（内片部２１１の基端部）を嵌入して取り付け固定するための取付部２２２ａが形成されている。
【００２１】
前記反発力付加バネ手段を構成するバネ部材２３０は、板状体をその途中で適当な角度を形成して折り曲げた形の板バネとし、前記戻り球制止片２１０の内片部２１１と外片部２１２との間に挟んだ状態に取り付けてある。
なお前記バネ部材２３０は、必ずしも板バネである必要はない。内片部２１１と外片部２１２との間に介在して、バネ特性を発揮するものであれば、他の種類のバネ部材であってもよい。
【００２２】
第２の実施形態の装置においては、発射された遊技球Ｑは、誘導領域１３を通って飛び出し口１４から、戻り球制止片２１０の内片部２１１を僅かに変形乃至動かしながら遊技領域２に飛び出す。
遊技領域２に一旦飛び出した遊技球Ｑが再び飛び出し口１４に逆行すると、遊技球Ｑが戻り球制止片２１０の外片部２１２に当り、結果として外片部２１２を押す。このときバネ部材２３０を圧縮変形される。これによりバネ部材２３０に復元力に基づく反発力が発生する。また外片部２１２自体も遊技球Ｑに押されて後退する結果、反発力を生じる。
従って遊技球Ｑが外片部２１２に当たって後、極僅かな時間を経て、バネ部材２３０の反発力と外片部２１２の反発力とが相乗して、遊技球Ｑを瞬発的に弾き返す。その際、外片部２１２の配置角度が遊技球Ｑを遊技領域２の中央方向へ弾き返すのに適した角度にされているので、これによって遊技球Ｑは効率よく遊技領域２の中央方向へ復帰される。
【００２３】
上記した第１、第２の実施形態ではパチンコ遊技機としたが、本発明の遊技機はパチンコ遊技機の他、発射された遊技球が誘導領域を経て飛び出し口から遊技領域に飛び出し、その遊技球が遊技領域を流下することで遊技が構成されるような遊技機にも適応するものである。
【図面の簡単な説明】
【００２４】
【図１】本発明の第１の実施形態に係るパチンコ遊技機の遊技盤の正面図である。
【図２】第１の実施形態に係るパチンコ遊技機の球戻り防止装置の側面図である。
【図３】第１の実施形態に係るパチンコ遊技機の球戻り防止装置の正面図である。
【図４】第１の実施形態に係るパチンコ遊技機の球戻り防止装置の分解斜視図である。
【図５】第１の実施形態に係るパチンコ遊技機の球戻り防止装置の斜視図である。
【図６】第１の実施形態に係るパチンコ遊技機の球戻り防止装置の斜視図である。
【図７】第１の実施形態に係るパチンコ遊技機の遊技盤の球戻り防止装置付近の拡大図で、遊技球が逆戻り途上にある状態を示す。
【図８】第１の実施形態に係るパチンコ遊技機の遊技盤の球戻り防止装置付近の拡大図で、逆戻りしてきた遊技球を戻り球制止片が制止した状態を示す。
【図９】第１の実施形態に係るパチンコ遊技機の遊技盤の球戻り防止装置付近の拡大図で、逆戻りしてきた遊技球を戻り球制止片が弾き返した状態を示す。
【図１０】本発明の第２の実施形態に係るパチンコ遊技機の球戻り防止装置の斜視図である。
【図１１】第２の実施形態に係るパチンコ遊技機の球戻り防止装置の分解斜視図である。
【符号の説明】
【００２５】
１        遊技盤
２        遊技領域
３        外レール
４        内レール
５        センターケース
６        始動入賞口
７        ゲート
８        普通入賞装置
９        大入賞装置
１０      アウト口
１１      風車
１２      釘
１３      誘導領域
１４      飛び出し口
１５      枠ランプ
１００    球戻り防止装置
１１０    戻り球制止片
１１０ａ  基端部
１２０    揺動基体
１２１    軸受部
１２１ａ  ガイド溝
１２１ｂ  軸孔
１２１ｃ  取付用挿入孔
１２２    錘部
１２２ａ  取付部
１２３    軸釘
１３０    バネ部材
２００    球戻り防止装置
２１０    戻り球制止片
２１０ａ  基端部
２１１    内片部
２１２    外片部
２２０    揺動基体
２２１    軸受部
２２１ａ  ガイド溝
２２１ｂ  軸孔
２２２    錘部
２２２ａ  取付部
２２３    軸釘
２３０    バネ部材
Ａ、Ｂ、Ｃ、Ｄ  領域
Ｑ        遊技球
【図１】
2006136392.tif 000003
【図２】
2006136392.tif 000004
【図３】
2006136392.tif 000005
【図４】
2006136392.tif 000006
【図５】
2006136392.tif 000007
【図６】
2006136392.tif 000008
【図７】
2006136392.tif 000009
【図８】
2006136392.tif 000010
【図９】
2006136392.tif 000011
【図１０】
2006136392.tif 000012
【図１１】
2006136392.tif 000013